(57)【要約】【課題】照射光量を増加させるとともにランプの着脱作業性を向上させた照明器具を提供する。【解決手段】照明器具１は、天井ＣＢに取付けられる器具本体２と、器具本体２の一面側に配設されるランプソケット７と、ランプソケット７を介して器具本体２に取付けられるランプ１０とを備えている。ランプソケット７は取付具８を介して器具本体２に取付けられており、取付具８における固定片８１の端縁には固定片８１と略直交する支持片８５が立設されている。この支持片８５は、ランプ１０をランプソケット７に装着した状態においてランプ１０の口金１０２における発光管１０１との境界部分に位置しており、口金１０２に対応する部位には略円弧状の切欠部８５ｂが設けられている。また、支持片８５の発光管１０１側の面には、ランプ１０からの光を反射させる反射面が形成されている。【選択図】図１
2008269991.tif 000002
【特許請求の範囲】
【請求項１】
発光管及び発光管の両端に設けた口金からなるランプが一面側に配設される器具本体と、器具本体に設けられランプの口金が装着されるランプソケットと、ランプに対して器具本体と反対側に配設されランプの直視を防止するためのランプカバーと、ランプ装着状態においてランプの口金における発光管との境界部分に配置され、ランプからランプソケットに向かって照射された光を反射させる反射板とを備えたことを特徴とする照明器具。
【請求項２】
前記反射板は、ランプ装着時において前記ランプと当接することで当該ランプの前記器具本体側への移動を規制する移動規制手段を兼用することを特徴とする請求項１記載の照明器具。
【発明の詳細な説明】
【技術分野】
【０００１】
本発明は、照明器具に関するものである。
【背景技術】
【０００２】
従来より、透光性を有するカバーを用いた照明器具があった（例えば特許文献１参照）。この照明器具は、横長の略矩形板状の器具本体を有し、器具本体の一面側において長手方向両端にはランプを取付けるためのランプソケットがそれぞれ設けられている。ランプソケット間にはランプが配設されており、また透光性を有するカバーがランプを覆うように器具本体に取付けられ、ランプから照射された光はカバーを透過して外部に照射される。
【０００３】
また、図９及び図１０に示すようにランプカバー２４０、２５０を設けた照明器具２００も提案されている。この照明器具２００は横長の器具本体２１０を有し、器具本体２１０の一面側（下面側）の長手方向両端には器具本体２１０から立設されたソケット取付板２１１を介してランプソケット２３０がそれぞれ配設され、両ランプソケット２３０、２３０間にはランプ２２０が取付けられている。また、ランプ２２０の下側には、略矩形枠状のランプカバー２４０と、ランプカバー２４０より小さい外形寸法の略矩形枠状のランプカバー２５０とが上下方向に並んで設けられている。
【０００４】
さらに、図１１及び図１２に示すように、ランプ３２０の両端側にエンドキャップ３３０を覆着した照明器具３００も提案されている。この照明器具３００は略矩形箱状の器具本体３１０を有し、器具本体１の下面には長手方向両端側に複数のランプソケット（図示せず）が配設されており、対応するランプソケット間にはランプ３２０がそれぞれ配設されている。また、各ランプ３２０の両端側には、ランプソケットを覆うようにエンドキャップ３３０がそれぞれ覆着されている。
【０００５】
このエンドキャップ３３０は、例えば弾性を有する樹脂材料からなる樹脂成形品であって、図１２に示すようにランプ３２０の軸方向においてランプ３２０と重なる形に形成された端板３３１と、端板３３１の周縁部に一体に突設された周壁部３３２とを備えている。この周壁部３３２は、器具本体３１０と対向する面が開口し、この開口縁部にはエンドキャップ３３０を器具本体３１０に取付けるための一対の係止爪３３３が一体に設けられている。
【０００６】
一方、器具本体３１０には、一対の係止爪３３３に対応する部位に各係止爪３３３が係止する一対の係止孔（図示せず）が設けられている。したがって、エンドキャップ３３０は、各係止爪３３３を対応する係止孔に差込んで係止させることで、ランプ３２０の端部及びランプソケットを覆って器具本体３１０に取付けられる。
【特許文献１】特開２００５−２３５３９８号公報（段落[００１７]−段落[００２０]、及び、第１図−第２図）
【発明の開示】
【発明が解決しようとする課題】
【０００７】
上述の特許文献１に示した照明器具や図９及び図１０に示した照明器具２００は、ランプの直視を防止するために透光性のカバーやランプカバー２４０、２５０を設けたものであり、ランプからランプソケットに向かって照射される光の分だけ、照射光量が低下する虞があった。
【０００８】
また、図１１及び図１２に示した照明器具３００では、ランプ３２０の両端側にランプ３２０の端部及びランプソケットを覆うようにエンドキャップ３３０が覆着されているが、このエンドキャップ３３０は樹脂製であって外観を向上させるために設けたものであり、ランプ３２０からランプソケット側に照射された光を反射させる機能を有するものではなく、照明器具３００の照射光量を増加させることはできなかった。また、エンドキャップ３３０は、ランプ３２０をランプソケットに取付けた後に取付けられるものであり、照明器具３３０が高い位置に配設されている場合には、ランプ３２０を取付ける際にランプ３２０の口金に設けたランプピンが器具本体３１０とランプソケットの隙間に入り込む虞もあり、ランプ３２０の取付作業が困難であった。
【０００９】
本発明は上記問題点に鑑みて為されたものであり、その目的とするところは、照射光量を増加させるとともにランプの着脱作業性を向上させた照明器具を提供することにある。
【課題を解決するための手段】
【００１０】
請求項１の発明は、発光管及び発光管の両端に設けた口金からなるランプが一面側に配設される器具本体と、器具本体に設けられランプの口金が装着されるランプソケットと、ランプに対して器具本体と反対側に配設されランプの直視を防止するためのランプカバーと、ランプ装着状態においてランプの口金における発光管との境界部分に配置され、ランプからランプソケットに向かって照射された光を反射させる反射板とを備えたことを特徴とする。
【００１１】
請求項２の発明は、反射板は、ランプ装着時においてランプと当接することで当該ランプの器具本体側への移動を規制する移動規制手段を兼用することを特徴とする。
【発明の効果】
【００１２】
請求項１の発明によれば、反射板を設けることによって、ランプからランプソケットに向かって照射された光を反射させることができるので、光の照射方向への照射光量を増加させることができ、ランプの照射効率が向上するという効果がある。また、反射板をランプの口金における発光管との境界部分に配置することによって、ランプ装着状態において発光管をすべて露出させることができるので、ランプの照射光量を増加させることができ、ランプの照射効率がさらに向上するという効果がある。さらに、反射板を設けることによって、ランプ装着状態において反射板がランプソケット内部の目隠しとして機能するので、見栄えが向上するという効果もある。
【００１３】
請求項２の発明によれば、ランプの器具本体側への移動が反射板により規制されるので、ランプ装着時において口金がランプソケットと器具本体の間の隙間に入り込むことがなく、ランプの装着性が向上するという効果がある。また、反射板をランプの口金における発光管との境界部分に設けているので、ランプを反射板に当接させた際に口金部分で当接させることができるので、ランプ装着時の安全性が確保できるという効果もある。
【発明を実施するための最良の形態】
【００１４】
本発明の実施の形態を図１〜図８に基づいて説明する。本発明に係る照明器具１は、図２に示すように例えば天井ＣＢに取付けられ、室内などを照明するために用いられる。尚、以下の説明では説明を簡略化するために、図１における上方を照明器具１の上方、下方を照明器具１の下方とそれぞれ規定する。
【００１５】
本発明に係る照明器具１は、後述するフランジ部９を介して天井ＣＢに取付けられる横長の器具本体２と、器具本体２の一面側（図１の下側）に配設されるランプソケット７と、ランプソケット７を介して器具本体２に取付けられるランプ１０と、ランプ１０に対して器具本体２と反対側に配設され、ランプ１０の直視を防止するためのランプカバー３と、器具本体２の長手方向両端部において器具本体２とランプカバー３との隙間を覆うように取付けられるエンドキャップ４とを備えている。
【００１６】
ここで、本実施形態の照明器具１は、図２に示すように天井ＣＢに固定されるフランジ９に吊下げられるものであり、フランジ９は安定器などの点灯装置（図示せず）と、点灯装置を収納するためのフランジ本体９ａとを備えている。
【００１７】
フランジ本体９ａは、上面側が開口する横長の略箱状のフランジボディ９０と、フランジボディ９０の上面開口を閉塞するようにフランジボディ９０に取り付けられるフランジカバー９１とで構成されている。
【００１８】
フランジカバー９１は、フランジボディ９０の上面開口を閉塞する略矩形板状に形成されており、その中央部には天井ＣＢより引き出された商用電源などの電源線Ｃを挿通させるための電源線挿通孔９１ａが厚み方向に貫設されている。また、フランジカバー９１の長手方向両端側には、フランジ９を天井ＣＢに固定するための固定ねじ９２を挿通させる固定ねじ挿通孔９１ｂが厚み方向にそれぞれ貫設されている。さらに、フランジカバー９１の長手方向において電源線挿通孔９１ａを間にして両側には、フランジボディ９０をフランジカバー９１に取付けるための取付ボルト９３を挿通させるボルト挿通孔９１ｃが厚み方向にそれぞれ貫設されている。
【００１９】
このフランジカバー９１は、電源線挿通孔９１ａに電源線Ｃを挿通させた状態で、２本の固定ねじ９２を各固定ねじ挿通孔９１ｂに下方からそれぞれ挿入し、天井ＣＢに設けた各ねじ孔Ｈにそれぞれ螺合することによって天井ＣＢに固定される。
【００２０】
一方、フランジボディ９０の底面（下面）においてフランジカバー９１の各ボルト挿通孔９１ｃと対向する部位には、ボルト挿通孔９１ｃに挿通した取付ボルト９３の先部が挿通されるボルト挿通孔９０ａが厚み方向にそれぞれ貫設されており、ボルト挿通孔９０ａに挿通した取付ボルト９３の先部に取付ナット９４を被嵌することによって、フランジボディ９０がフランジカバー９１に取付けられる。
【００２１】
ところで、フランジボディ９０内には、上述した点灯装置が収納されている。この点灯装置は、電源線Ｃを通じて供給される商用電源からの電力を元にして、ランプ１０用の駆動電力を生成するように構成されたものであって、電源線Ｃが接続される入力端子（図示せず）と、給電線９５の一端側のコネクタ９５ａが接続される出力端子（図示せず）とを有している。
【００２２】
また、フランジボディ９０の底面には、一端が点灯装置に接続された給電線９５の他端側をフランジ本体９ａ外に引き出すための配線孔９０ｂが厚み方向に貫設されている。さらに、フランジボディ９０の底面において長手方向両端側には、フランジ９に照明器具１を吊り下げるためのワイヤなどの吊り下げ手段９６が挿通される吊り下げ孔９０ｃが厚み方向にそれぞれ貫設されている。
【００２３】
本実施形態の照明器具１は、上述したフランジ９により天井ＣＢに取付けられるとともに、フランジ９の上記点灯装置からランプ１０用の駆動電力が供給される。
【００２４】
器具本体２は、図２に示すように長尺状の本体部５と、本体部５の厚み方向における一面側（図２の下面側）に取付けられ、ランプ１０から照射される光を下面側に反射する長尺状の反射板６とを備えている。ここで、本体部５および反射板６は、例えばアルミニウムや鉄などの金属材料により形成されている。
【００２５】
反射板６は、長手方向に直交する面内における断面形状が上方に凸となる略弧状に形成され、その下面には白色の塗料などが全面に塗布され、ランプ１０から照射される光を反射するための反射面が形成されている。また、反射板６の幅方向における中央部には、反射板６の下面側において凸部を構成するとともに反射板６の上面側において凹部を構成する膨出部６ａが反射板６の長手方向に沿って形成されている。ここで、膨出部６ａは、膨出部６ａを除く反射板６の部位と、後述するエンドキャップ４の一対の取付片４０との間に、人の指を差し込むことができる大きさの隙間が形成されるように、その膨出寸法が設定されている。
【００２６】
この反射板６の膨出部６ａの下面側において長手方向両端側には、ランプ１０を器具本体２に取り付けるためのランプソケット（以下、ソケットという。）７が、ランプ１０との対向面７ａを互いに対向させた状態で取付けられている。尚、ソケット７は従来周知のものを用いており、詳細な説明については省略する。
【００２７】
ところで、本体部５に反射板６を取付けた状態では、本体部５と反射板６の膨出部６ａとの間の空間からなる収納スペースが形成される。この収納スペースには、給電線９５の他端側のコネクタ（図示せず）と接続される接続部（図示せず）及びこの接続部と両方のソケット７とをそれぞれ電気的に接続する接続線７０が収納されている。また、反射板６の膨出部６ａには、図１に示すように収納スペースに配線された接続線７０をソケット７に接続するための引出孔６ｂが設けられている。
【００２８】
本体部５は、器具本体２の天板部分を構成するものであって、上述した接続部を露出するための開口部（図示せず）が形成されている。また、本体部５の上側には、上述した吊り下げ手段９６を取付けるための取付部（図示せず）が設けられている。したがって、照明器具１は、ソケット７が給電線９５を介してフランジ９の点灯装置に接続され、また吊り下げ手段９６によりフランジ９に吊り下げられた状態で配設されている。
【００２９】
ところで、ソケット７は、図１に示すように取付具８に取付けられ、取付具８を介して反射板６に取付けられている。
【００３０】
取付具８は、例えば金属板を折曲形成したものであって、器具本体２の長手方向に沿った方向を法線方向とし、ソケット７の後面（対向面７ａと反対側の面）を当接させた状態でねじ止めなどによりソケット７が固定されるソケット取付片８０と、ソケット取付片８０の上端縁から器具本体２の長手方向中央側（図１の左側）に延設され、取付具８を反射板６に固定するための固定片８１とを備え、固定片８１には反射板６の引出孔６ｂと連通する給電線挿通孔（図示せず）が厚み方向に貫設されている。また、固定片８１には、図１に示すように引出孔６ｂに挿通され、引出孔６ｂの開口縁部と係止する係止片８１ａが例えば切り起こしにより形成されている。
【００３１】
また、取付具８は、器具本体２の長手方向に沿った方向を法線方向とし、ランプカバー３を器具本体２に取付けるためのランプカバー取付片８２と、ランプカバー取付片８２の上端縁から器具本体２の長手方向の端部側（図１の右側）に延設され、取付具８を反射板６に固定するための固定片８３とを備え、固定片８３には取付具８を反射板６に固定するための固定ねじＳ１を挿通させるねじ挿通孔８３ａが厚み方向に貫設されている。さらに、ランプカバー取付片８２の幅方向両端側には、図３（ａ）に示すように後述するエンドキャップ４を支持するための略三角形状の支持突片８２ａが一体に設けられている。尚、反射板６においてねじ挿通孔８３ａに対応する部位には、固定ねじＳ１が螺合するねじ孔６ｃが形成されている。また、ランプカバー取付片８２には、ランプカバー３を取付けるための固定ねじＳ２が螺合するねじ孔（図示せず）が形成されている。
【００３２】
ここで、ソケット取付片８０とランプカバー取付片８２とは、ランプカバー取付片８２をソケット取付片８０に対して器具本体２の長手方向の端部側に配置した状態で、下端部同士が橋絡片８４によって一体に連結されている。したがって、取付具８は、固定片８１の係止片８１ａを引出孔６ｂの開口縁部に係止させるとともに、固定片８３のねじ挿通孔８３ａに挿通させた固定ねじＳ１を反射板６のねじ孔６ｃに螺合することによって、反射板６に取付けられる。
【００３３】
また、固定片８１において器具本体２の長手方向中央側の端縁には、図１及び図３（ａ）に示すように固定片８１と略直交する方向であってソケット取付片８０と同方向に立設された板状の支持片８５が一体に設けられ、この支持片８５の幅方向両端側には、エンドキャップ４を支持するための略三角形状の支持突片８５ａが一体に設けられている。さらに、支持片８５の下端部には、ランプ１０の口金１０２の外形と略同形状に形成された略円弧状の切欠部８５ｂが設けられている。ここに、支持片８５により反射板が構成されており、且つ、支持片８５により移動規制手段が構成されている。尚、この支持片８５は、ランプ１０をソケット７に装着した状態において、ランプ１０の口金１０２における発光管１０１との境界部分に切欠部８５ｂが位置するように配設されている。また、支持片８５は、図１の左側の面に白色の塗料などが塗布され、ランプ１０からの光を反射する反射面が形成されている。
【００３４】
ランプカバー３は、例えば金属製であって、図２に示すように器具本体２の長手方向に沿ってランプ１０よりも長めの寸法に形成されており、長手方向に直交する面内における断面形状が下方に凸となる略弧状に形成され、長手方向両端側がそれぞれ開口している。
【００３５】
ランプカバー３の上面において長手方向両端側には、図１に示すようにランプカバー３を器具本体２に取付けるための固定具３０が固定ねじＳ３を用いてねじ止めされている。この固定具３０は、例えば金属板からなり、固定ねじＳ３が挿通されるねじ挿通孔３１ａを有する横片３１と、固定ねじＳ２が挿通されるねじ挿通孔３２ａを有する縦片３２とを一体に備える略Ｌ字状に形成されている。
【００３６】
このランプカバー３は長手方向両端側がそれぞれ開口しているので、ランプカバー３を器具本体２に取付けた状態では、器具本体２の長手方向両端側に形成される器具本体２とランプカバー３との隙間から取付具８が見える状態にある。
【００３７】
そこで、本実施形態の照明器具１では、器具本体２の長手方向における両端部に器具本体２とランプカバー３との隙間を塞ぐエンドキャップ４が取付けられる。
【００３８】
このエンドキャップ４は、例えば絶縁性を有する樹脂材料からなる合成樹脂成形品であって、図２及び図４に示すように器具本体２の幅方向に沿った方向において所定間隔を隔てて対向する一対の板状の取付片４０と、一対の取付片４０の長手方向（図１の左右方向）一端側の端部同士を一体に連結する略扇状の連結片４１とにより略コ字状に形成されている。また、一対の取付片４０は、図４（ｂ）に示すように下方にいくにつれて、上記所定間隔（取付片４０において互いに対向する内面４０ａ間の間隔）が大きくなるように連結片４１に連結されている。さらに、連結片４１の上端縁には、図１に示すように係合片４１ａが器具本体２の長手方向中央側に向かって突設されており、係合片４１ａにはエンドキャップ４を器具本体２に固定する際に用いられる係合孔４１ｂが厚み方向に貫設されている。ここで、エンドキャップ４は、図４（ｂ）に示すように一対の取付片４０の内面４０ａを上述した各一対の支持突片８２ａ、８５ａにそれぞれ当接させることで支持される。
【００３９】
一方、反射板６の膨出部６ａには、図１に示すようにエンドキャップ４の係合片４１ａに設けた係合孔４１ｂと係合する弾性部材（ばね部材）６０が設けられている。この弾性部材６０は、例えば弾性を有する金属板の一部を切り起こしてなる係合部６１を有している。この係合部６１は、図１に示すように器具本体２の厚み方向に沿った方向の断面形状が下方に凸となる略く字状に形成されている。つまり、係合部６１は、器具本体２の長手方向に沿う両側面６１ａ、６１ａが、それぞれ器具本体２から下方にいくにつれて両側面６１ａ、６１ａ間の距離が小さくなるように傾斜している。
【００４０】
この弾性部材６０は、係合部６１を器具本体２の下面側に突出させた状態で、膨出部６ａに設けた開口部６ｄより上記収納スペースに収納される。この開口部６ｄは、エンドキャップ４を取付けた状態で、膨出部６ａにおいて係合孔４１ｂと連通する位置に形成されている。したがって、エンドキャップ４を取付けた状態では、係合部６１が係合孔４１ｂに嵌り込むことで、エンドキャップ４が器具本体２に固定される。
【００４１】
このエンドキャップ４を器具本体２に取付ける場合には、図５に示すように一対の取付片４０を器具本体２の長手方向の端部から反射板６とランプカバー３との隙間に差し入れて器具本体２の中央側（図５の矢印Ｂの方向）に押込むことで、図６に示すようにソケット７を覆った状態で器具本体２に取付けられる。このとき、両取付片４０、４０は、対応する上記支持突片８２ａ、８５ａに当接した状態で支持され、また弾性部材６０の係合部６１は係合孔４１ｂの開口端縁で係止している。
【００４２】
一方、エンドキャップ４を器具本体２から取り外す場合には、両取付片４０、４０を挟み込むようにしてエンドキャップ４を保持し、器具本体２の長手方向に沿った方向に引き出すと、係合部６１が器具本体２側（上方）に弾性付勢されて、係合部６１と係合孔４１ｂとの係止状態が解除され、エンドキャップ４が器具本体２から取り外される。
【００４３】
ここで、ランプ１０をソケット７に装着する場合、器具本体２側から立設する支持片８５の切欠部８５ｂにランプ１０の口金１０２を当接させることで、ソケット７に対してランプ１０の位置が規制され、ランプ１０がソケット７に容易に装着される。したがって、図７及び図８に示すように、ランプ１０が二点鎖線Ｃの位置にずれることがなく、またランプ１０の口金１０２に設けたランプピン１０３がソケット７に設けたピン挿通溝７１から外れてソケット７と反射板６の隙間に入り込むことがないので、ランプ１０の装着作業性が向上する。また、器具本体２の長手方向においてソケット７の対向面７ａから支持片８５までの寸法が同方向における口金１０２の寸法よりも小さくなるように支持片８５が配設されており、ランプ１０のソケット７への装着時において支持片８５の切欠部８５ｂには口金１０２が当たるので、発光管１０１が切欠部８５ｂに当たって発光管１０１が割れることがなく、ランプ１０を装着する際の安全性が確保できる。
【００４４】
また、ランプ１０を点灯させると、ランプ１０から照射されるソケット７側への光は、図１中の矢印Ａのように支持片８５における器具本体２の長手方向中央側の反射面で反射される。したがって、光の照射方向（本実施形態では、図１中の下方）への照射光量を増加させることができるので、照明器具１の照射効率が向上する。さらに、ランプ１０をソケット７に装着した状態において、支持片８５がランプ１０の口金１０２における発光管１０１との境界部分に位置しているので、発光管１０１を器具本体２の長手方向中央側にすべて露出させることができる。したがって、照明器具１の照射光量をさらに増加させることができるので、ランプ１０の照射効率がさらに向上する。また、支持片８５を設けることによって、ランプ１０をソケット７に装着した状態において、支持片８５がソケット７の上方に配線された接続線７０などの目隠しとして機能するので、見栄えが向上する。
【００４５】
尚、本実施形態では、取付具８の固定片８１に一体に立設された支持片８５を反射板とした場合を例に説明したが、反射板は本実施形態に限定されるものではなく、反射板を別体に設けてもよい。また、反射板の形状についても本実施形態に限定されるものではなく、反射板を採用する照明器具の形状に応じて適宜設計すればよい。
【００４６】
さらに、本実施形態では、金属製のランプカバー３を用いた場合を例に説明したが、ランプカバー３は本実施形態に限定されるものではなく、ランプ１０の直視を防止できるものであれば不透明な樹脂材料などであってもよい。
【図面の簡単な説明】
【００４７】
【図１】本実施形態の照明器具の要部断面図である。
【図２】同上の分解斜視図である。
【図３】同上に用いられる取付具を示し、（ａ）は斜視図、（ｂ）は側面図である。
【図４】同上の要部を示し、（ａ）は一部破断せる下面図、（ｂ）は側面図である。
【図５】同上に用いられるエンドキャップの取付状態を示す状態図である。
【図６】同上にエンドキャップを取付けた状態を示し、（ａ）は正面図、（ｂ）は側面図である。
【図７】同上にランプを装着する状態を側面から見た状態図である。
【図８】同上にランプを装着する状態を下面から見た状態図である。
【図９】従来例の照明器具を示し、（ａ）は下面図、（ｂ）は側面図である。
【図１０】同上の照明器具の要部詳細図である。
【図１１】同上の他の照明器具を示し、（ａ）は下面図、（ｂ）は側面図である。
【図１２】同上の他の照明器具に用いられるエンドキャップを示す正面図である。
【符号の説明】
【００４８】
１      照明器具
２      器具本体
３      ランプカバー
７      ランプソケット
１０    ランプ
８５    支持片（反射板）
１０１  発光管
１０２  口金
【図１】
2008269991.tif 000003
【図２】
2008269991.tif 000004
【図３】
2008269991.tif 000005
【図４】
2008269991.tif 000006
【図５】
2008269991.tif 000007
【図６】
2008269991.tif 000008
【図７】
2008269991.tif 000009
【図８】
2008269991.tif 000010
【図９】
2008269991.tif 000011
【図１０】
2008269991.tif 000012
【図１１】
2008269991.tif 000013
【図１２】
2008269991.tif 000014